(57)【要約】【課題】カムピンの設計の自由度が制限されることなく、複数の可動枠をカム筒に効率よく組み込むことができるレンズ鏡筒を提供する。【解決手段】レンズ鏡筒３０は、カム溝５２及びカム溝５３が光軸方向に並んで形成されたカム筒５０と、カムピン４２ａがカム溝５２に係合することにより、カム筒５０内で光軸方向に移動する第２レンズ枠体４２と、カムピン４３ａがカム溝５３に係合することにより、カム筒５０内で光軸方向に移動する第３レンズ枠体４３とを備え、カム筒５０は、各カム溝に連続するとともにカム筒５０の一端に連続するように形成され、各カムピンを挿入可能な挿入溝５６を有し、カム溝５２及びカム溝５３の係合完了位置の光軸方向における距離Ｐ１は、第２レンズ枠体４２と第３レンズ枠体４３とが当接した状態におけるカムピン４２ａとカムピン４３ａとの光軸方向における距離ｐに略等しい。【選択図】図６
2018088003.tif 000002
【特許請求の範囲】
【請求項１】
第１カム溝及び第２カム溝の少なくとも一部が光軸方向に並んで形成されたカム筒と、
前記第１カム溝に係合する第１カムピンが設けられ、前記第１カムピンが前記第１カム溝内を移動することにより、前記カム筒内で光軸方向に移動する第１移動体と、
前記第２カム溝に係合する第２カムピンが設けられ、前記第２カムピンが前記第２カム溝内を移動することにより、前記カム筒内で光軸方向に移動する第２移動体とを備え、
前記カム筒は、前記第１カム溝及び前記第２カム溝に連続するとともに前記カム筒の一端に連続するように形成され、前記第１カムピン及び前記第２カムピンを挿入可能な挿入溝を有し、
前記第１カム溝及び前記挿入溝が接続される第１位置と、前記第２カム溝及び前記挿入溝が接続される第２位置との光軸方向における距離は、前記第１カムピン及び前記第２カムピンが前記挿入溝内に挿入されて前記第１移動体と前記第２移動体とが当接した状態における前記第１カムピンと前記第２カムピンとの光軸方向における距離に略等しいこと、
を特徴とするレンズ鏡筒。
【発明の詳細な説明】
【技術分野】
【０００１】
本発明は、レンズ鏡筒に関するものである。
【背景技術】
【０００２】
従来、レンズ鏡筒は、複数のレンズ群を効率よく組み立てるために、様々な技術が提案、実現されている（例えば、特許文献１）。
特許文献１のレンズ鏡筒は、レンズ枠ごとにカムピンの外径を変更し、各レンズ枠のカムピンの形状に応じてカム筒に形成される各カム溝の幅を変更することにより、効率よく複数のレンズ枠をカム筒に挿入して組み立てられている。
しかし、このようなレンズ鏡筒は、被写体側に位置するレンズ枠のカムピンの外径が撮像側に位置するレンズ枠のカムピンに比して小さい。そのため、被写体側に位置するレンズ枠に大型のレンズが搭載される傾向にある昨今のレンズ鏡筒においては、そのレンズの重量から被写体側のレンズ枠のカムピンの耐衝撃性が不足してしまう場合があった。この耐衝撃性を向上するために、カムピンの形状を大きくすることも考えられるが、その場合、他のレンズ枠のカムピンの形状も大きくする必要があり、カムピンの設計の自由度が制限されてしまう場合があった。
【先行技術文献】
【特許文献】
【０００３】
【特許文献１】特開２０１２−００８３３５号公報
【発明の概要】
【発明が解決しようとする課題】
【０００４】
本発明の課題は、カムピンの設計の自由度が制限されることなく、複数の可動枠をカム筒に効率よく組み込むことができるレンズ鏡筒を提供することである。
【課題を解決するための手段】
【０００５】
前記課題を解決するために、第１の発明は、第１カム溝及び第２カム溝の少なくとも一部が光軸方向に並んで形成されたカム筒と、前記第１カム溝に係合する第１カムピンが設けられ、前記第１カムピンが前記第１カム溝内を移動することにより、前記カム筒内で光軸方向に移動する第１移動体と、前記第２カム溝に係合する第２カムピンが設けられ、前記第２カムピンが前記第２カム溝内を移動することにより、前記カム筒内で光軸方向に移動する第２移動体とを備え、前記カム筒は、前記第１カム溝及び前記第２カム溝に連続するとともに前記カム筒の一端に連続するように形成され、前記第１カムピン及び前記第２カムピンを挿入可能な挿入溝を有し、前記第１カム溝及び前記挿入溝が接続される第１位置と、前記第２カム溝及び前記挿入溝が接続される第２位置との光軸方向における距離は、前記第１カムピン及び前記第２カムピンが前記挿入溝内に挿入されて前記第１移動体と前記第２移動体とが当接した状態における前記第１カムピンと前記第２カムピンとの光軸方向における距離に略等しいことを特徴とするレンズ鏡筒である。
【発明の効果】
【０００６】
本発明によれば、カムピンの設計の自由度が制限されることなく、複数の可動枠をカム筒に効率よく組み込むことができる。
【図面の簡単な説明】
【０００７】
【図１】第１実施形態のカメラの全体構成を示す断面図である。
【図２】第１実施形態のレンズ鏡筒のＷＩＤＥ端撮影状態及びＴＥＬＥ端撮影状態を示す断面図である。
【図３】第１実施形態のレンズ鏡筒の固定筒周りの構成を説明する斜視図である。
【図４】第１実施形態の第２レンズ枠、第３レンズ枠、第５レンズ枠の構成を説明する図である。
【図５】第１実施形態の第２レンズ枠、第３レンズ枠、第５レンズ枠が当接した状態を示す斜視図である。
【図６】第１実施形態のレンズ鏡筒のカム筒の詳細を説明する図である。
【発明を実施するための形態】
【０００８】
（第１実施形態）
以下、図面を参照して、本発明に係るレンズ鏡筒及びこれを備えた撮像装置の第１実施形態について説明する。本実施形態では、本発明に係るレンズ鏡筒を備えた撮像装置として、レンズ鏡筒が装着されたデジタルカメラを例に挙げて説明する。
【０００９】
なお、以下に示す図１には、説明と理解とを容易にするために、適宜にＸＹＺの直交座標系を設けた。この座標系では、撮影者が光軸ＯＡを水平として横長の画像を撮影する場合のカメラ位置（以下、正位置という）において撮影者から見て左側に向かう方向を＋Ｘ方向とする。また、正位置において上側に向かう方向を＋Ｙ方向とする。更に、正位置において被写体に向かう方向を＋Ｚ方向とする。
【００１０】
図１は、本実施形態のカメラの全体構成を示す断面図である。図１に示すカメラ１は、沈胴状態のレンズ鏡筒がカメラ本体２に装着された状態である。
図２は、本実施形態のレンズ鏡筒のＷＩＤＥ端撮影状態及びＴＥＬＥ端撮影状態を示す断面図である。図２において、紙面上半分はＷＩＤＥ端撮影状態のレンズ鏡筒を示し、紙面下半分はＴＥＬＥ端撮影状態のレンズ鏡筒を示す。
図３は、本実施形態のレンズ鏡筒の固定筒周りの構成を説明する斜視図である。
図４は、本実施形態の第２レンズ枠、第３レンズ枠、第５レンズ枠の構成を説明する図である。図４（ａ）は、各レンズ枠の斜視図である、図４（ｂ）は、図４（ａ）のｂ部詳細図であり、図４（ｃ）は、図４（ａ）のｃ部詳細図である。
図５は、本実施形態の第２レンズ枠、第３レンズ枠、第５レンズ枠が当接した状態を示す斜視図である。
図６は、本実施形態のレンズ鏡筒のカム筒の詳細を説明する図である。図６（ａ）は、内周面に設けられたカム溝を示すカム筒の展開図である。図６（ｂ）は、図６（ａ）のｂ部詳細図である。
【００１１】
本実施形態のカメラ１は、図１に示すように、レンズ交換式のデジタル一眼レフカメラである。カメラ１は、カメラ本体２と、レンズ鏡筒３０とを備える。レンズ鏡筒３０は、着脱可能にカメラ本体２に装着されている。
【００１２】
カメラ本体２は、マウント部４、メインミラー８、サブミラー９、測距ユニット１０、シャッタユニット１１、光学フィルタ１２、撮像素子１３、液晶モニタ１４、ペンタプリズム１５、接眼光学系１６等を備える。
マウント部４は、カメラ本体２に設けられたカメラ側のマウントであり、レンズ鏡筒３０に設けられたレンズ側のマウント部３２に着脱可能に接続される。マウント部４及びマウント部３２には、それぞれ、カメラ本体２とレンズ鏡筒３０との間でデータを送受信するための電極（不図示）や、カメラ本体２からレンズ鏡筒３０へ電力を送信するための電極（不図示）等を備える。
メインミラー８は、撮像前においては光軸ＯＡ上に位置する（ポジションＡ）。この場合、レンズ鏡筒３０からカメラ本体２に入射した被写体光は、メインミラー８により上方へ導かれ、拡散スクリーン（不図示）に被写体像として結像する。メインミラー８は、その一部にハーフミラーが形成されている。このため、被写体光の一部は、メインミラー８においてサブミラー９で下方に反射され、測距ユニット１０にも結像する。また、拡散スクリーンに結像した被写体光は、ペンタプリズム１５へ入射する。
【００１３】
ペンタプリズム１５は、入射した被写体光を接眼光学系１６へ導く。撮影者は、接眼光学系１６を目視することにより、撮影前の被写体像を観察することができる。
また、ペンタプリズム１５は、入射した被写体光の一部を測光ユニット（不図示）へ導く。測光ユニットは、被写体光の輝度情報を検出する。測光制御演算部（不図示）は、測光ユニットで検出された輝度情報に基づいて被写体輝度を算出する。また、測光制御演算部は、設定された撮像感度、レンズ情報、及び算出した被写体輝度等を用いて演算を行い、露出値（絞り値、シャッタースピード）を決定する。
【００１４】
一方、メインミラー８は、撮像時には上方へ回動して、図１に破線で示すように、光軸ＯＡの外へ退避する（ポジションＢ）。レンズ鏡筒３０からカメラ本体２に入射した被写体光は、シャッタユニット１１、光学フィルタ１２を介して撮影用の撮像素子１３へ導かれる。
光学フィルタ１２は、撮像素子１３の撮像面において、不要な空間周波数成分を除去する部材である。
撮像素子１３は、取り込んだ被写体光を信号電荷として蓄積し、画像情報に変換する。この画像情報は、画像制御部（不図示）により画像補正や補間処理等の画像処理が施された後、メモリ（不図示）に記憶される。
液晶モニタ１４は、撮影された静止画像や動画像を表示する。また、液晶モニタ１４は、撮影条件やカメラ操作に関する情報、並びに各種のメッセージ等を表示する。
【００１５】
レンズ鏡筒３０は、焦点距離を連続的に変化させることのできるいわゆるズームレンズであって、第１レンズ群Ｌ１、第２レンズ群Ｌ２、第３レンズ群Ｌ３、第４レンズ群Ｌ４、第５レンズ群Ｌ５及び第６レンズ群Ｌ６の６つのレンズ群から成る撮影光学系を備えている。被写体からの光は、この第１レンズ群Ｌ１〜第６レンズ群Ｌ６を経て、カメラ本体２側へ被写体光として入射する。第１レンズ群Ｌ１〜第５レンズ群Ｌ５は、カメラ１にレンズ鏡筒３０が装着された状態でカメラ本体２に対して固定される固定筒３１に、それぞれ独立して移動可能に保持されている。そして、第１レンズ群Ｌ１〜第５レンズ群Ｌ５の移動によってレンズ鏡筒３０の焦点距離が変化する。
【００１６】
レンズ鏡筒３０は、円筒状の固定筒３１の外周側に操作環４０を備え、固定筒３１の内周側に第１レンズ枠体４１、カム筒５０等を備える。また、レンズ鏡筒３０は、カム筒５０の内周側に第２レンズ枠体４２、第３レンズ枠体４３、第４レンズ枠体４４、第５レンズ枠体４５、直進筒３４等が配置されている。
【００１７】
固定筒３１は、レンズ鏡筒３０の基礎となる円筒状の部材である。固定筒３１は、図１及び図３に示すように、その後端側（−Ｚ側）に、レンズ鏡筒３０をカメラ本体２に接続するマウント部３２及び第６レンズ群Ｌ６を保持した第６レンズ枠体４６が設けられている。また、固定筒３１は、マウント部３２の内側にレンズ鏡筒３０を統括制御する制御基板３３等が配置されている。
直進筒３４は、カム筒５０内に配置される筒状の部材であり、その筒内に第２レンズ枠体４２の直進キー４２ｃ（後述する）及び第３レンズ枠体４３の直進キー４３ｃ（後述する）にそれぞれ係合するキー溝が形成されている。
操作環４０は、固定筒３１の外周側面上に配置される円筒状の部材であり、固定筒３１の外周に対して回転可能であって、前後方向（Ｚ方向）に移動不可能に設けられている。この操作環４０を回転させることにより、各レンズ群は固定筒３１に対して光軸方向（Ｚ方向）に移動することができ、レンズ鏡筒３０は、図２に示すように、撮影状態から沈胴状態へと変化する。
【００１８】
第１レンズ枠体４１は、図１に示すように、第１レンズ群Ｌ１を保持する略円筒状の枠体である。第１レンズ枠体４１は、その内周面に、カム筒５０の外周側に形成されたカム溝５１（後述する）に係合するカムピンが設けられており、カム筒５０の回転に伴い光軸方向（Ｚ方向）に移動する。
【００１９】
第２レンズ枠体４２は、第２レンズ群Ｌ２を保持する略円筒状の枠体であり、第１レンズ群Ｌ１の後側（−Ｚ側）に配置される。第２レンズ枠体４２は、図４（ａ）に示すように、その外周縁に、カム筒５０の内周面に形成されたカム溝５２（後述する）に係合するカムピン４２ａが設けられており、カム筒５０の回転に伴い光軸方向（Ｚ方向）に移動する。本実施形態では、カムピン４２ａは、第２レンズ枠体４２の後端の外周縁に等間隔に３つ設けられている。また、カムピン４２ａは、第２レンズ枠体４２とは別体で構成されており、カム溝５２との係合具合や、第２レンズ群Ｌ２の仕様等に応じて適宜変更することができる。
また、第２レンズ枠体４２は、図４（ｂ）に示すように、カムピン４２ａの近傍であって第２レンズ枠体４２の後端面に、第３レンズ枠体４３に最も接近した状態で当接する平面から構成される当接部４２ｂが形成されている。第２レンズ枠体４２は、第３レンズ枠体４３と当接部４２ｂで当接することによって、他の部位が第３レンズ枠体４３と接触し、破損等してしまうのを防ぐことができる。
【００２０】
更に、第２レンズ枠体４２は、図４（ａ）に示すように、直進キー４２ｃが設けられている。第２レンズ枠体４２は、この直進キー４２ｃが直進筒３４に設けられた不図示のキー溝に係合することにより、直進筒２０に対して光軸方向（Ｚ方向）に直進することができる。
【００２１】
第３レンズ枠体４３は、図１及び図４（ａ）に示すように、第３レンズ群Ｌ３を保持する略円筒状の枠体であり、第２レンズ群Ｌ２の後側に配置される。第３レンズ枠体４３は、その外周縁に、カム筒５０の内周面に形成されたカム溝５３（後述する）に係合するカムピン４３ａが設けられており、カム筒５０の回転に伴い光軸方向（Ｚ方向）に移動する。本実施形態では、カムピン４３ａは、第３レンズ枠体４３の先端側（＋Ｚ側）の外周縁に等間隔に３つ設けられている。また、カムピン４３ａは、第３レンズ枠体４３とは別体で構成されており、カム溝５３との係合具合や、第３レンズ群Ｌ３の仕様等に応じて適宜変更することができる。
また、第３レンズ枠体４３は、図４（ｃ）に示すように、カムピン４３ａの近傍に、第５レンズ枠体４５に最も接近した状態で当接する平面から構成される当接部４３ｂが形成されている。第３レンズ枠体４３は、第５レンズ枠体４５と当接部４３ｂで当接することによって、他の部位が第５レンズ枠体４５と接触し、破損等してしまうのを防ぐことができる。
【００２２】
更に、第３レンズ枠体４３は、図４（ａ）に示すように、直進キー４３ｃ、キー溝４３ｄが設けられている。第３レンズ枠体４３は、この直進キー４３ｃが直進筒３４に設けられた不図示のキー溝に係合することにより、直進筒３４に対して光軸方向（Ｚ方向）に直進することができる。
ここで、第２レンズ枠体４２の直進キー４２ｃと、第３レンズ枠体４３の直進キー４３ｃとが、それぞれ直進筒３４のキー溝に係合することによって、第２レンズ枠体４２のカムピン４２ａ及び第３レンズ枠体４３のカムピン４３ａは、図５に示すように、同一直線上に位置することとなる。
【００２３】
第４レンズ枠体４４は、図１に示すように、第４レンズ群Ｌ４を保持する枠体であり、第３レンズ群Ｌ３の後側に配置されて第３レンズ枠体４３に取り付けられる。第４レンズ枠体４４は、ガイドバー（不図示）によって支持されており、ステッピングモータ４８を駆動源として、歯車４９を介して光軸方向（Ｚ方向）に移動する。
【００２４】
第５レンズ枠体４５は、図１及び図４（ａ）に示すように、第５レンズ群Ｌ５を保持する略円筒状の枠体であり、第４レンズ群Ｌ４の後側に配置される。第５レンズ枠体４５は、その外周縁に、カム筒５０の内周面に形成されたカム溝５５（後述する）に係合するカムピン４５ａが設けられており、カム筒５０の回転に伴い光軸方向（Ｚ方向）に移動する。本実施形態では、カムピン４５ａは、第５レンズ枠体４５の先端側の外周縁に等間隔に３つ設けられている。また、カムピン４５ａは、第５レンズ枠体４５とは別体で構成されており、カム溝５５との係合具合や、第５レンズ群Ｌ５の仕様等に応じて適宜変更することができる。
【００２５】
また、第５レンズ枠体４５は、第３レンズ枠体４３のキー溝４３ｄに係合する直進キー（不図示）がその枠体内に形成されている。この直進キーが、第３レンズ枠体４３のキー溝４３ｄに係合することによって、第５レンズ枠体４５は、第３レンズ枠体４３に対して光軸方向（Ｚ方向）に直進することができる。
ここで、第５レンズ枠体４５の直進キーが、第３レンズ枠体４３のキー溝４３ｄに係合することによって、第３レンズ枠体４３のカムピン４３ａ及び第５レンズ枠体４５のカムピン４５ａは、図５に示すように、同一直線上に位置することとなる。
第６レンズ枠体４６は、図１に示すように、第６レンズ群Ｌ６を保持する枠体であり、固定筒３１の後端部に配置される。
電磁絞り部４７は、第２レンズ枠体４２と第３レンズ枠体４３との間に配置された電磁式の絞り機構である。
【００２６】
カム筒５０は、複数のカム溝が形成された円筒状の部材である。カム筒５０は、図３に示すように、その外周面にカム溝５１が形成されている。
また、カム筒５０は、図６（ａ）に示すように、その内周面にカム溝５２、カム溝５３、カム溝５５が光軸方向に並んで形成されている。また、カム筒５０には、各カム溝にカムピンを挿入する挿入溝５６が形成されている。
【００２７】
カム溝５１は、第１レンズ枠体４１のカムピンが係合する溝であり、カム筒５０の円周方向に延在する。
カム溝５２は、第２レンズ枠体４２のカムピン４２ａが係合する溝であり、カム筒５０の円周方向に延在する。カム溝５２は、カム筒５０の最も被写体側に形成される。
カム溝５３は、第３レンズ枠体４３のカムピン４３ａが係合する溝であり、カム筒５０の円周方向に延在する。カム溝５３は、カム溝５２及びカム溝５５間に形成される。
カム溝５５は、第５レンズ枠体４５のカムピン４５ａが係合する溝であり、カム筒５０の円周方向に延在する。カム溝５５は、カム筒５０の最も後端側（撮像素子側）に形成される。
【００２８】
挿入溝５６は、各レンズ枠体のカムピン４２ａ、４３ａ、４５ａを、それぞれカム溝５２、５３、５５に導くための溝である。挿入溝５６は、光軸方向と平行に、カム筒５０の後端側の縁から被写体側に向かってカム溝５２まで形成されており、各カム溝とつながっている。
本実施形態では、上述の各レンズ枠体に設けられたカムピン４２ａ、４３ａ、４５ａの数（３つ）に対応して、各カム溝及び挿入溝５６は、カム筒５０の円周方向に３組並んで形成されている。
【００２９】
カム筒５０の円周方向に延在するカム溝５２、５３、５５は、挿入溝５６側から順に、組立領域、撮影領域、沈胴領域が構成されている。
この組立領域は、挿入溝５６から挿入された各カムピンが各カム溝に係合する位置となる係合完了位置（図６（ｂ）参照）を含んだ領域である。組立領域は、カム筒５０内に各レンズ枠体を組み込む工程において使用されるため、製造後のレンズ鏡筒の通常の使用時においては、各カムピンがこの領域を通過することはない。
撮影領域は、カム筒５０に係合された各レンズ群が撮影可能となる領域であり、組立領域との境がＴｅｌｅ位置であり、沈胴領域との境がＷｉｄｅ位置となる。
沈胴領域は、カメラ１の電源ＯＦＦ時等において、各レンズ枠体が固定筒３１内に沈胴して収納状態に移行する領域であり、各カム溝の挿入溝５６側とは反対側の終端部が沈胴位置となる。
【００３０】
ここで、カム溝５２及びカム溝５３は、組立領域の各カム溝の係合完了位置（第１位置、第２位置）における距離Ｐ１が、第２レンズ枠体４２を当接部４２ｂで第３レンズ枠体４３と当接させた場合におけるカムピン４２ａ及びカムピン４３ａの距離ｐ（図５参照）と略等しく形成されている。
また、カム溝５３及びカム溝５５は、組立領域の各カム溝の係合完了位置における距離Ｑ１が、第３レンズ枠体４３を当接部４３ｂで第５レンズ枠体４５と当接させた場合におけるカムピン４３ａ及びカムピン４５ａの距離ｑ（図５参照）と略等しく形成されている。
【００３１】
ここで、距離Ｐ１が距離ｐに略等しいとは、距離Ｐ１及び距離ｐが完全に一致する場合（Ｐ１＝ｐ）だけでなく、製造時に第２レンズ枠体４２と第３レンズ枠体４３とをカム筒５０内に挿入し、第２レンズ枠体４２と第３レンズ枠体４３とが当接した状態から、カム筒５０を回転させると、第２レンズ枠体４２の自重によりカムピン４２ａがカム溝５２内を移動し、第３レンズ枠体４３の自重によりカムピン４３ａがカム溝５３内を移動するように、距離Ｐ１が距離ｐよりも若干（例えば、０．２ｍｍ）大きくなる場合（Ｐ１＞ｐ）も含むものをいう。また同様に、距離Ｑ１が距離ｑに略等しいとは、距離Ｑ１及び距離ｑが完全に一致する場合（Ｑ１＝ｑ）だけでなく、第３レンズ枠体４３と第５レンズ枠体４５とが当接した状態から、カム筒５０を回転させると、第３レンズ枠体４３の自重によりカムピン４３ａがカム溝５３内を移動し、第５レンズ枠体４５の自重によりカムピン４５ａがカム溝５５内を移動するように、距離Ｑ１が距離ｑよりも若干（例えば、０．２ｍｍ）大きくなる場合（Ｑ１＞ｑ）も含むものをいう。
本実施形態では、距離Ｐ１及び距離Ｑ１は、それぞれ距離ｐ、距離ｑよりも若干大きく形成されている。
【００３２】
また、図６（ｂ）に示すように、カム溝５２及びカム溝５３の光軸方向における距離は、組立領域の各カム溝の係合完了位置（第１位置、第２位置）における距離Ｐ１が、他の領域（撮影領域、沈胴領域）における距離に比して最も狭く形成されている。同様に、カム溝５３及びカム溝５５の光軸方向における距離も、組立領域の係合完了位置における距離Ｑ１が、他の領域における距離に比して最も狭く形成されている。
このように、組立領域の係合完了位置における距離Ｐ１、距離Ｑ１を、他の領域における距離よりも狭くすることによって、カムピンをカム溝に係合させた係合完了位置以外のカム溝の領域（撮影領域、沈胴領域）において、各レンズ枠体が互いに干渉してしまうのを回避することができる。
【００３３】
カム溝５２は、挿入溝５６との接続箇所に面取り処理が施され斜面５２ａが形成されている。同様に、カム溝５３及びカム溝５５も、挿入溝５６との接続箇所にそれぞれ面取り処理が施され、斜面５３ａ、５５ａが形成されている。このように各カム溝の接続箇所に斜面が形成されることよって、挿入溝５６に挿入されたカムピンがカム溝に係合するのを容易にすることができる。
なお、係合完了位置は、カム溝に係合したカムピンが、面取りの斜面を滑り落ちない程度にその斜面から離れた位置となる。また、各カム溝の接続箇所に施される面取り処理は、挿入溝５６からカム溝へのカムピンの移動をより容易にするために、カム筒５０や各レンズ枠体の設計時の寸法公差や、上述の距離Ｐ１及び距離ｐの寸法差、距離Ｑ１及び距離ｑの寸法差等に応じて斜面の寸法を決定することが望ましい。
【００３４】
上述のように、第２レンズ枠体４２は、その自重によりカムピン４２ａが挿入溝５６からカム溝５２の組立領域に移動し、第３レンズ枠体４３は、その自重によりカムピン４３ａが挿入溝５６からカム溝５３の組立領域に移動する。よって、距離Ｐ１は、距離ｐと等しいことが好ましいが、距離Ｐ１を距離ｐよりも若干大きくすると、寸法公差の問題も解消することができ好ましい。同様に、距離Ｑ１も距離ｑより若干大きくするのが好ましい。
また、複数のカム溝（例えばカム溝５２とカム溝５３）において、光軸方向後側（撮像素子側）のカム溝５３と挿入溝５６との接続箇所を、面取り処理するのが好ましい。組立時に、第２レンズ枠体４２と第３レンズ枠体４３とが当接した状態でカム筒内に組み込むので、光軸方向後側のカム溝５３と挿入溝５６との接続箇所の方が光軸方向前側のカム溝５２と挿入溝５６との接続箇所より製造誤差の累積が大きいためである。
【００３５】
次に、第２レンズ枠体４２、第３レンズ枠体４３、第５レンズ枠体４５をカム筒５０内に組み込む作業について説明する。
まず、作業者は、図５に示すように、第２レンズ枠体４２、第３レンズ枠体４３、第５レンズ枠体４５を各当接部４２ｂ、４３ｂに当接させて、それぞれが最も接近した状態にして（以下、レンズ枠体群という）、カム筒５０内に組み込む。このとき、作業者は、同一直線上に並んだカムピン４２ａ、４３ａ、４５ａをカム筒５０の挿入溝５６に挿入することによって、レンズ枠体群をカム筒５０内に組み込む。
【００３６】
カム筒５０内にレンズ枠体群が適切に組み込まれると、カムピン４２ａは、挿入溝５６の被写体側の終端部であって、カム溝５２との接続箇所に位置した状態となる。また、カムピン４３ａ、４５ａは、それぞれ挿入溝５６内のカム溝５３、５５の接続箇所に位置した状態となる。
次に、作業者が組み込んだレンズ枠体群に対してカム筒５０を回転させると、図６（ｂ）に示すように、各カムピンは、挿入溝５６から各カム溝に入り込んで係合し、係合完了位置へと移動する。
このとき、各カム溝には、挿入溝５６との接続箇所に斜面が形成されているので、各カムピンは、その面取りの斜面を経て、挿入溝５６から各カム溝へと円滑に移動する。
【００３７】
また、上述したように、挿入溝５６に組み込まれたレンズ枠体群は、互いに当接部で当接しているため、各カムピン間の距離ｐ及び距離ｑが、各カム溝間の距離Ｐ１及び距離Ｑ１よりも小さい（Ｐ１＞ｐ、Ｑ１＞ｑ）。そのため、各カムピンを挿入溝５６から各カム溝に移動させる場合、各カムピンは、各カム溝の接続箇所の斜面上を移動するとともに、互いに当接していた各レンズ枠体が、カムピン間の距離とカム溝間の距離との差分だけそれぞれ離間した状態となって係合完了位置へと移動する。これにより、カム筒５０や各レンズ枠体の寸法公差等に関係なく、カムピンやカム溝を破損等させることなく円滑にカムピンをカム溝に係合させることができる。
以上により、第２レンズ枠体、第３レンズ枠体、第５レンズ枠体のカム筒５０内への組み込み作業が完了となる。
【００３８】
以上説明したように、本実施形態のレンズ鏡筒３０には以下のような効果がある。
（１）カム溝５２及び挿入溝５６が接続される係合完了位置と、カム溝５３及び挿入溝５６が接続される係合完了位置との光軸方向における距離Ｐ１が、第２レンズ枠体４２と第３レンズ枠体４３とが当接した状態におけるカムピン４２ａとカムピン４３ａとの光軸方向における距離ｐに略等しい。同様に、カム溝５３とカム溝５５の係合完了位置の光軸方向における距離Ｑ１が、第２レンズ枠体４２と第３レンズ枠体４３とが当接した状態におけるカムピン４２ａとカムピン４３ａとの光軸方向における距離ｐに略等しい。
これにより、レンズ鏡筒３０は、複数のレンズ枠体（５２、５３、５５）をカム筒５０内に効率よく組み込むことができる。また、各レンズ枠体に設けられるカムピンの形状には制限が生じないので、各レンズ枠体に保持されるレンズ群の仕様等に応じてカムピンの形状を変更することができ、カムピンの設計の自由度を向上させることができる。
【００３９】
（２）カム溝５２及びカム溝５３の係合完了位置の光軸方向における距離Ｐ１は、カム溝５２とカム溝５３との光軸方向における距離が最も小さくなり、また、カム溝５３及びカム溝５５の係合完了位置の光軸方向における距離Ｑ１は、カム溝５３とカム溝５５との光軸方向における距離が最も小さくなる。これにより、レンズ鏡筒３０は、係合完了位置以外のカム溝の領域（撮影領域、沈胴領域）において、各レンズ枠体が互いに干渉してしまうのを回避することができる。
（３）カム筒５０の各カム溝５２、５３、５５は、挿入溝５６との接続箇所が面取り処理されているので、挿入溝５６に挿入されたカムピンが、各カム溝に係合するのを容易にすることができる。
【００４０】
（４）第２レンズ枠体４２は、カムピン４２ａの近傍に第３レンズ枠体４３と当接する当接部４２ｂを備え、また、第３レンズ枠体４３は、カムピン４３ａの近傍に第５レンズ枠体４５と当接する当接部４３ｂを備えている。これにより、レンズ鏡筒３０は、第２レンズ枠体４２が、当接部４２ｂ以外の部位で第３レンズ枠体４３と接触し、破損等してしまうのを防ぐことができる。また、第３レンズ枠体４３が、当接部４３ｂ以外の部位で第５レンズ枠体４５と接触し、破損等してしまうのを防ぐことができる。
【００４１】
（５）カム溝５２及びカム溝５３の係合完了位置の光軸方向における距離Ｐ１は、第２レンズ枠体４２と第３レンズ枠体４３とが当接した状態におけるカムピン４２ａとカムピン４３ａとの光軸方向における距離ｐよりも大きく形成されている（Ｐ１＞ｐ）。また、カム溝５３及びカム溝５５の係合完了位置の光軸方向における距離Ｑ１は、第３レンズ枠体４３と第５レンズ枠体４５とが当接した状態におけるカムピン４３ａとカムピン４５ａとの光軸方向における距離ｑよりも大きく形成されている（Ｑ１＞ｑ）。これにより、距離Ｐ１及び距離Ｑ１がそれぞれ距離ｐ及び距離ｑに等しい場合に比して、カムピンがカム溝に係合することができなくなったり、係合できたとしてもカムピンやカム溝に必要以上の負荷が加わってしまいこれらを破損させたりしてしまうのを回避することができる。
【００４２】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４３】
（変形形態）
（１）実施形態において、レンズ鏡筒３０は、第２レンズ枠体４２、第３レンズ枠体４３、第５レンズ枠体４５の各カムピン４２ａ、４３ａ、４５ａと、カム筒５０のカム溝５２、５３、５５とが、それぞれ３つずつ設けられる例を示したが、これに限定されるものでない。例えば、各カムピン及びカム溝は、３以外の数ずつで設けるようにしてもよい。
（２）実施形態において、各カムピン４２ａ、４３ａ、４５ａは、それぞれ各レンズ枠体４２、４３、４５に対して別体で構成される例を示したが、これに限定されるものでない。例えば、各カムピンは、各レンズ枠体に対して一体で形成されるようにしてもよい。こうすることによって、レンズ鏡筒を構成する部品点数を減らすことができるとともに、レンズ鏡筒の製造効率も向上させることができる。
【００４４】
（３）実施形態において、カム筒５０の各カム溝の接続箇所に施される面取りは、斜面が形成される例を示したが、これに限定されるものでなく、曲面が形成されるようにしてもよい。
（４）実施形態において、挿入溝５６は、光軸方向に平行な方向に形成される例を示したが、これに限定されるものでなく、光軸方向に対して傾斜したり、曲線で光軸方向に延在させたりして形成してもよい。
（５）実施形態において、第２レンズ枠体４２及び第３レンズ枠体４３に設けられた当接部４２ｂ、４３ｂは、平面で構成される例を示したが、これに限定されるものでなく、例えば曲面で構成されるようにしてもよい。
【符号の説明】
【００４５】
１：カメラ、２：カメラ筐体、３０：レンズ鏡筒、３１：固定筒、４０：操作環、４１：第１レンズ枠体、４２：第２レンズ枠体、４２ａ：カムピン、４２ｂ：当接部、４３：第３レンズ枠体、４３ａ：カムピン、４３ｂ：当接部、４４：第４レンズ枠体、４５：第５レンズ枠体、４５ａ：カムピン、４６：第６レンズ枠体、５０：カム筒、５２：カム溝、５３：カム溝、５５：カム溝、５６：挿入溝、Ｌ１：第１レンズ群、Ｌ２：第２レンズ群、Ｌ３：第３レンズ群、Ｌ４：第４レンズ群、Ｌ５：第５レンズ群、Ｌ６：第６レンズ群
【図１】
2018088003.tif 000003
【図２】
2018088003.tif 000004
【図３】
2018088003.tif 000005
【図４】
2018088003.tif 000006
【図５】
2018088003.tif 000007
【図６】
2018088003.tif 000008